(57)【特許請求の範囲】
【請求項１】
無線周波数信号を増幅する複数の電力増幅器と、
前記複数の電力増幅器にエンベロープ信号に基づく可変電圧を供給するエンベロープトラッカと、
前記エンベロープトラッカの出力側に接続された共通線と、
前記共通線の先端から分岐し、前記複数の電力増幅器にそれぞれ接続された複数の分岐線と、
前記複数の分岐線にそれぞれ設けられた複数のサブインダクタと、
前記共通線に設けられたメインインダクタと、
前記共通線に設けられたコンデンサと、を備え、
前記エンベロープトラッカと前記メインインダクタとの間の電気長は、前記無線周波数信号のうち最高周波数の信号の半波長よりも短くしていることを特徴とする電源回路。
【請求項２】
前記メインインダクタのカットオフ周波数は、前記エンベロープ信号の周波数よりも高くしてなる請求項１に記載の電源回路。
【請求項３】
前記メインインダクタの自己共振周波数は、前記各サブインダクタの自己共振周波数のうち最も低い自己共振周波数よりも高くしてなる請求項１に記載の電源回路。
【請求項４】
前記エンベロープトラッカと前記電力増幅器との間の電気長は、前記無線周波数信号のうち最高周波数の信号の半波長よりも短くしてなる請求項１に記載の電源回路。
【発明の詳細な説明】
【技術分野】
【０００１】
本発明は、インダクタを用いて無線周波数信号のノイズ信号を低減する電源回路に関する。
【背景技術】
【０００２】
一般に、エンベロープトラッカと複数の電力増幅器とを備えた電源回路において、該各電力増幅器にチョーク用のインダクタを接続する構成が知られている（例えば、特許文献１参照）。特許文献１に記載された電源回路では、インダクタにより電力増幅器から漏れ出てくるノイズ信号を外部に流出させないようにし、かつ、ノイズ信号が電力増幅器に流入することを防止している。
【先行技術文献】
【特許文献】
【０００３】
【特許文献１】特表２０１４−５０２８０８号公報
【発明の概要】
【０００４】
ところで、特許文献１に記載された電源回路は、エンベロープトラッカから電力増幅器に向けてノイズ信号が伝導した場合、各インダクタにおいてノイズ信号を反射させて、電力増幅器にノイズ信号が流入するのを防止している。この場合、インダクタがノイズ信号を反射することにより再度エンベロープトラッカにノイズ信号を戻すことになり、エンベロープトラッカと各電力増幅器との間の接続ラインで共振が起こる場合がある。この結果、接続ラインからノイズ信号が放射され、通信特性が劣化するという問題がある。
【０００５】
本発明は前述の問題に鑑みなされたものであり、本発明の目的は、エンベロープトラッカと各電力増幅器との間に伝導するノイズ信号を抑制する電源回路を提供することにある。
【０００６】
（１）．上述した課題を解決するために、本発明による電源回路は、無線周波数信号を増幅する複数の電力増幅器と、前記複数の電力増幅器にエンベロープ信号に基づく可変電圧を供給するエンベロープトラッカと、前記エンベロープトラッカの出力側に接続された共通線と、前記共通線の先端から分岐し、前記複数の電力増幅器にそれぞれ接続された複数の分岐線と、前記複数の分岐線にそれぞれ設けられた複数のサブインダクタと、前記共通線に設けられたメインインダクタと、前記共通線に設けられたコンデンサと、を備え、前記エンベロープトラッカと前記メインインダクタとの間の電気長は、前記無線周波数信号のうち最高周波数の信号の半波長よりも短くしていることを特徴としている。
【０００７】
本発明によれば、電源回路は、共通線に設けられたメインインダクタと分岐線に設けられたサブインダクタとを備えている。この場合、共通線を伝導するノイズ信号をメインインダクタにより低減し、分岐線を伝導するノイズ信号をサブインダクタにより低減させることができる。これにより、エンベロープトラッカから各電力増幅器に向けて伝導するノイズ信号を、サブインダクタとメインインダクタとにより低減することができる。この結果、エンベロープトラッカと各電力増幅器との間でのノイズ信号の共振や放射を抑制することができるので、受信感度の劣化を抑えて通信特性を高めることができる。
また、本発明に係る電源回路では、エンベロープトラッカとメインインダクタとの間の電気長は、無線周波数信号のうち最高周波数の信号の半波長よりも短くしている。これにより、エンベロープトラッカとメインインダクタとの間でノイズ信号の多重反射が生じ、ノイズ信号が放射されるときでも、放射されるノイズ信号の周波数を無線周波数信号のうち最高周波数よりも高くすることができる。このため、ノイズ信号の周波数を複数の無線周波数信号の帯域外にすることができ、無線周波数信号に対するノイズ信号の影響を低減することができる。
【０００８】
（２）．本発明に係る電源回路では、前記メインインダクタのカットオフ周波数は、前記エンベロープ信号の周波数よりも高いことが好ましい。この場合、電源回路は、エンベロープ信号については減衰を抑制しつつ、ノイズ信号を減衰させることができる。
【０００９】
（３）．本発明に係る電源回路では、前記メインインダクタの自己共振周波数は、前記各サブインダクタの自己共振周波数のうち最も低い自己共振周波数よりも高いことが好ましい。
【００１０】
ここで、複数の電力増幅器は、例えば互いに異なる周波数の無線周波数信号を増幅する。このとき、無線周波数信号に対するノイズ信号を抑制するために、各サブインダクタの自己共振周波数は、例えば各電力増幅器で増幅する無線周波数信号の帯域内で設定するのが好ましい。これに対し、メインインダクタの自己共振周波数を各サブインダクタの自己共振周波数のうち最も低い自己共振周波数よりも高くしたから、複数の無線周波数信号の帯域に亘ってメインインダクタのインピーダンスを高くすることができる。このため、複数の無線周波数信号の帯域で、ノイズ信号を低減することができる。
【００１３】
（４）．本発明に係る電源回路では、前記エンベロープトラッカと前記電力増幅器との間の電気長は、前記無線周波数信号のうち最高周波数の信号の半波長よりも短いことが好ましい。
【００１４】
これにより、エンベロープトラッカと電力増幅器との間でノイズ信号の多重反射が生じ、ノイズ信号が放射されるときでも、放射されるノイズ信号の周波数を無線周波数信号のうち最高周波数よりも高くすることができる。このため、ノイズ信号の周波数を複数の無線周波数信号の帯域外にすることができ、無線周波数信号に対するノイズ信号の影響を低減することができる。
【図面の簡単な説明】
【００１５】
【図１】本発明の実施の形態による電源回路の全体構成を示す回路図である。
【図２】図１中のメインインダクタの挿入損失の周波数特性を示す特性線図である。
【図３】本発明の実施の形態および比較例において、電源回路の電圧の時間変化を示す特性線図である。
【図４】本発明の実施の形態および比較例において、電源回路のノイズレベルの周波数特性を示す特性線図である。
【図５】図４中の電源回路のノイズレベルの周波数特性を拡大して示す特性線図である。
【発明を実施するための形態】
【００１６】
以下、本発明の実施の形態による電源回路を、マルチバンドの携帯端末に適用した場合を例に挙げて添付図面を参照しつつ詳細に説明する。
【００１７】
図１に、本実施の形態による電源回路１を示す。電源回路１は、電力増幅器２，３，４、エンベロープトラッカ６、共通線１２、分岐線１３，１６，１９、サブインダクタ１４，１７，２０、メインインダクタ２２、コンデンサ２３等を備えている。この電源回路１は、例えば携帯端末等のモバイル機器において、音声やデータ等の各種信号を、例えば３種類の無線周波数信号ＲＦ1，ＲＦ2，ＲＦ3を用いて基地局（図示せず）に送信するために用いられる。
【００１８】
電力増幅器２は、電源入力端子が分岐線１３を介して電源電圧回路５に接続され、信号入力端子がＲＦ部８およびＳＡＷフィルタ９を介してベースバンド部７に接続されている。この電力増幅器２は、例えば演算増幅器を用いて構成されている。これにより、電力増幅器２は、エンベロープトラッカ６から供給される可変電圧Ｖvarに基づいて、ＲＦ部８から出力される無線周波数信号ＲＦ1の電力を基地局に送信するために必要なレベルまで増幅し、出力端子から送信信号Ｔx1を出力する。このとき、無線周波数信号ＲＦ1は、例えば７００ＭＨｚ帯のような第１の周波数帯域の信号となっている。
【００１９】
電力増幅器３は、電源入力端子が分岐線１６を介して電源電圧回路５に接続され、信号入力端子がＲＦ部８およびＳＡＷフィルタ１０を介してベースバンド部７に接続されている。この電力増幅器３は、電力増幅器２と同様に、例えば演算増幅器を用いて構成されている。この場合、電力増幅器３は、電力増幅器２とは異なる無線周波数信号ＲＦ2を増幅し、出力端子から送信信号Ｔx2を出力する。このとき、無線周波数信号ＲＦ2は、第１の周波数帯域とは異なる周波数として、例えば１．５ＧＨｚ帯のような第２の周波数帯域の信号となっている。
【００２０】
電力増幅器４は、電源入力端子が分岐線１９を介して電源電圧回路５に接続され、信号入力端子がＲＦ部８およびＳＡＷフィルタ１１を介してベースバンド部７に接続されている。この電力増幅器４は、電力増幅器２と同様に、例えば演算増幅器を用いて構成されている。この場合、電力増幅器４は、電力増幅器２，３とは異なる無線周波数信号ＲＦ3を増幅し、出力端子から送信信号Ｔx3を出力する。このとき、無線周波数信号ＲＦ3は、第１，第２の周波数帯域とは異なる周波数として、例えば２ＧＨｚ帯のような第３の周波数帯域の信号となっている。
【００２１】
また、電力増幅器２とエンベロープトラッカ６との間を接続する共通線１２および分岐線１３とを合わせた電気長は、３種類の無線周波数信号ＲＦ1，ＲＦ2，ＲＦ3のうち最高周波数の信号の半波長よりも短くなっている。同様に、電力増幅器３とエンベロープトラッカ６との間を接続する共通線１２および分岐線１６とを合わせた電気長は、３種類の無線周波数信号ＲＦ1，ＲＦ2，ＲＦ3のうち最高周波数の信号の半波長よりも短くなっている。電力増幅器４とエンベロープトラッカ６との間を接続する共通線１２および分岐線１９とを合わせた電気長は、３種類の無線周波数信号ＲＦ1，ＲＦ2，ＲＦ3のうち最高周波数の信号の半波長よりも短くなっている。
【００２２】
電源電圧回路５は、例えばバッテリにより構成され、出力側がエンベロープトラッカ６に接続されている。この電源電圧回路５は、一定の電源電圧Ｖをエンベロープトラッカ６に供給する。
【００２３】
エンベロープトラッカ６は、電源電圧回路５と各電力増幅器２，３，４との間に設けられている。このエンベロープトラッカ６は、ベースバンド部７に接続され、ベースバンド部７から出力されるベースバンド信号（ＩＱ信号）のエンベロープ成分（エンベロープ信号Ｓe）を検出する。これにより、エンベロープトラッカ６は、電源電圧Ｖを制御して、各電力増幅器２，３，４にエンベロープ成分に基づく可変電圧Ｖvarを供給する。即ち、エンベロープトラッカ６は、各電力増幅器２，３，４に供給される可変供給電力がベースバンド信号のエンベロープ成分（無線周波数信号ＲＦ1，ＲＦ2，ＲＦ3の振幅）に応じて変化するように、可変電圧Ｖvarを調整する。このとき、エンベロープ成分が増加すると、可変電圧Ｖvarは増加し、エンベロープ成分が減少すると、可変電圧Ｖvarは減少する。
【００２４】
ベースバンド部７は、音声、データ等の入力信号（図示せず）をベースバンド信号に変調し、該ベースバンド信号をＲＦ部８に出力する。この場合、ベースバンド部７は、エンベロープトラッカ６がエンベロープトラッキングを行うために、エンベロープトラッカ６に向けてエンベロープ信号Ｓeを出力する。ここで、エンベロープ信号Ｓeの周波数は、ベースバンド部７によって設定されるものであり、例えば、２０ＭＨｚ程度である。
【００２５】
ＲＦ部８の入力側はベースバンド部７に接続され、ＲＦ部８の出力側はＳＡＷフィルタ９，１０，１１にそれぞれ接続されている。このＲＦ部８は、ベースバンド部７から出力されるベースバンド信号をアップコンバートして、無線送信を行うための無線周波数信号ＲＦ1，ＲＦ2，ＲＦ3をそれぞれ生成する。
【００２６】
ＳＡＷフィルタ９の入力側はＲＦ部８に接続され、ＳＡＷフィルタ９の出力側は電力増幅器２に接続されている。このＳＡＷフィルタ９は、無線周波数信号ＲＦ1の周波数帯域の信号を通過させる帯域通過フィルタを構成している。具体的には、ＳＡＷフィルタ９は、圧電性基板等を用いて形成され、弾性表面波を用いることによって、無線周波数信号ＲＦ1の帯域以外の信号を除去する。ＳＡＷフィルタ９は、フィルタリング後の無線周波数信号ＲＦ1を、電力増幅器２に向けて出力する。
【００２７】
ＳＡＷフィルタ１０の入力側はＲＦ部８に接続され、ＳＡＷフィルタ１０の出力側は電力増幅器３に接続されている。このＳＡＷフィルタ１０は、ＳＡＷフィルタ９と同様に帯域通過フィルタを構成し、無線周波数信号ＲＦ2の周波数帯域の信号を通過させる。ＳＡＷフィルタ１０は、フィルタリング後の無線周波数信号ＲＦ2を、電力増幅器３に向けて出力する。
【００２８】
ＳＡＷフィルタ１１の入力側はＲＦ部８に接続され、ＳＡＷフィルタ１１の出力側は電力増幅器４に接続されている。このＳＡＷフィルタ１１は、ＳＡＷフィルタ９，１０と同様に帯域通過フィルタを構成し、無線周波数信号ＲＦ3の周波数帯域の信号を通過させる。ＳＡＷフィルタ１１は、フィルタリング後の無線周波数信号ＲＦ3を、電力増幅器４に向けて出力する。
【００２９】
共通線１２は、エンベロープトラッカ６と複数の分岐線１３，１６，１９との間を接続している。即ち、共通線１２の一端は、エンベロープトラッカ６の出力側に接続されている。共通線１２の他端は、分岐箇所１２Ａとなって、複数の分岐線１３，１６，１９の一端に接続されている。この共通線１２は、エンベロープトラッカ６により制御された可変電圧Ｖvarを各電力増幅器２，３，４に向けて供給する。共通線１２には、メインインダクタ２２とコンデンサ２３とが設けられている。
【００３０】
分岐線１３は、共通線１２の分岐箇所１２Ａと電力増幅器２との間を接続している。即ち、分岐線１３の一端は共通線１２の分岐箇所１２Ａから分岐し、分岐線１３の他端は電力増幅器２の電源入力端子に接続されている。この分岐線１３は、共通線１２から出力された可変電圧Ｖvarを電力増幅器２に向けて供給する。分岐線１３には、サブインダクタ１４とサブコンデンサ１５とが設けられている。
【００３１】
サブインダクタ１４は、分岐線１３に設けられ、例えばコアコイルにより形成されている。このサブインダクタ１４およびサブコンデンサ１５は、分岐線１３を流れるノイズ信号を減衰させる。この場合、サブインダクタ１４の自己共振周波数は、電力増幅器２に対するノイズ信号の侵入を抑制するために、例えば無線周波数信号ＲＦ1の帯域内の値に設定されている。このため、サブインダクタ１４は、無線周波数信号ＲＦ1の周辺帯域のノイズ信号を減衰させる。
【００３２】
サブコンデンサ１５は、共通線１２の分岐箇所１２Ａとサブインダクタ１４との間に位置し、分岐線１３に設けられている。即ち、サブコンデンサ１５は、サブインダクタ１４よりもエンベロープトラッカ６側に設けられている。サブコンデンサ１５の一端側は分岐線１３に接続され、サブコンデンサ１５の他端側は接地されている。これにより、サブコンデンサ１５は、サブインダクタ１４と協働して、分岐線１３を流れるノイズ信号を減衰させる。
【００３３】
分岐線１６は、共通線１２の分岐箇所１２Ａと電力増幅器３との間を接続している。即ち、分岐線１６の一端は共通線１２の分岐箇所１２Ａから分岐し、分岐線１６の他端は電力増幅器３の電源入力端子に接続されている。この分岐線１６は、共通線１２から出力された可変電圧Ｖvarを電力増幅器３に向けて供給する。分岐線１６には、サブインダクタ１７とサブコンデンサ１８とが設けられている。
【００３４】
サブインダクタ１７は、分岐線１６に設けられ、例えばコアコイルにより形成されている。このサブインダクタ１７およびサブコンデンサ１８は、分岐線１６を流れるノイズ信号を減衰させる。この場合、サブインダクタ１７の自己共振周波数は、電力増幅器３に対するノイズ信号の侵入を抑制するために、例えば無線周波数信号ＲＦ2の帯域内の値に設定されている。このため、サブインダクタ１７は、無線周波数信号ＲＦ2の周辺帯域のノイズ信号を減衰させる。
【００３５】
サブコンデンサ１８は、共通線１２の分岐箇所１２Ａとサブインダクタ１７との間に位置し、分岐線１６に設けられている。即ち、サブコンデンサ１８は、サブインダクタ１７よりもエンベロープトラッカ６側に設けられている。サブコンデンサ１８の一端側は分岐線１６に接続され、サブコンデンサ１８の他端側は接地されている。これにより、サブコンデンサ１８は、サブインダクタ１７と協働して、分岐線１６を流れるノイズ信号を減衰させる。
【００３６】
分岐線１９は、共通線１２の分岐箇所１２Ａと電力増幅器４との間を接続している。即ち、分岐線１９の一端は共通線１２の分岐箇所１２Ａから分岐し、分岐線１９の他端は電力増幅器４の電源入力端子に接続されている。この分岐線１９は、共通線１２から出力された可変電圧Ｖvarを電力増幅器４に向けて供給する。分岐線１９には、サブインダクタ２０とサブコンデンサ２１とが設けられている。
【００３７】
サブインダクタ２０は、分岐線１９に設けられ、例えばコアコイルにより形成されている。このサブインダクタ２０およびサブコンデンサ２１は、分岐線１９を流れるノイズ信号を減衰させる。この場合、サブインダクタ２０の自己共振周波数は、電力増幅器４に対するノイズ信号の侵入を抑制するために、例えば無線周波数信号ＲＦ3の帯域内の値に設定されている。このため、サブインダクタ２０は、無線周波数信号ＲＦ3の周辺帯域のノイズ信号を減衰させる。
【００３８】
サブコンデンサ２１は、共通線１２の分岐箇所１２Ａとサブインダクタ２０との間に位置し、分岐線１９に設けられている。即ち、サブコンデンサ２１は、サブインダクタ２０よりもエンベロープトラッカ６側に設けられている。サブコンデンサ２１の一端側は分岐線１９に接続され、サブコンデンサ２１の他端側は接地されている。これにより、サブコンデンサ２１は、サブインダクタ２０と協働して、分岐線１９を流れるノイズ信号を減衰させる。
【００３９】
メインインダクタ２２は、共通線１２に設けられ、例えばコアコイルにより形成されている。このメインインダクタ２２は共通線１２を流れるノイズ信号を減衰させる。メインインダクタ２２は、エンベロープ信号Ｓeに応じて変化する可変電圧Ｖvarを通過させる必要がある。このため、メインインダクタ２２の自己共振周波数は、エンベロープ信号Ｓeの周波数よりも高くなっている。
【００４０】
また、メインインダクタ２２は、無線周波数信号ＲＦ1，ＲＦ2，ＲＦ3の周波数帯域のノイズ信号を減衰させるのが好ましい。このとき、各サブインダクタ１４，１７，２０の各自己共振周波数は、無線周波数信号ＲＦ1，ＲＦ2，ＲＦ3の周波数帯域に対応した値に設定されている。このため、メインインダクタ２２の自己共振周波数は、各サブインダクタ１４，１７，２０の各自己共振周波数のうち最も低い自己共振周波数よりも高い値に設定されている。これにより、メインインダクタ２２は、エンベロープトラッカ６側から共通線１２に流入するノイズ信号のうち、例えばエンベロープ信号Ｓeの周波数よりも高く、無線周波数信号ＲＦ1，ＲＦ2，ＲＦ3の周波数帯域でのノイズ信号を減衰させる。
【００４１】
メインインダクタ２２の挿入損失（ＳパラメータのＳ２１）の周波数特性の一例を、図２に示す。なお、図２は、メインインダクタ２２に（株）村田製作所のＬＱＷ１５ＣＮ３３ＮＪ００を用いたときの特性を示している。図２に示すように、メインインダクタ２２では、約１００ＭＨｚ付近を境に挿入損失が増加している。また、メインインダクタ２２の挿入損失が−３ｄＢになるカットオフ周波数は、エンベロープ信号Ｓeの周波数よりも高い４００ＭＨｚ付近となっている。これにより、メインインダクタ２２はエンベロープ信号Ｓeよりも高周波側のノイズ信号を減衰することができる。
【００４２】
また、メインインダクタ２２とエンベロープトラッカ６との間の電気長は、電力増幅器２，３，４に用いられる無線周波数信号ＲＦ1，ＲＦ2，ＲＦ3のうち、最高周波数の信号（無線周波数信号ＲＦ3）の半波長よりも短くなっている。これにより、メインインダクタ２２とエンベロープトラッカ６との間でノイズ信号が多重反射したときでも、各無線周波数信号ＲＦ1，ＲＦ2，ＲＦ3の帯域でノイズ信号が外部に放射されるのを抑制している。
【００４３】
コンデンサ２３は、エンベロープトラッカ６とメインインダクタ２２との間に位置し、共通線１２に設けられている。即ち、コンデンサ２３は、メインインダクタ２２よりもエンベロープトラッカ６側に設けられている。コンデンサ２３の一端側は共通線１２に接続され、コンデンサ２３の他端側は接地されている。これにより、コンデンサ２３は、メインインダクタ２２と協働して、共通線１２を流れるノイズ信号を減衰させる。ここで、コンデンサ２３およびメインインダクタ２２は、エンベロープ信号Ｓeに応じて変化する可変電圧Ｖvarの減衰は抑制して、ノイズ信号を減衰させる必要がある。このため、コンデンサ２３の容量特性は、コンデンサ２３とメインインダクタ２２とを組み合わせてローパスフィルタを構成したときに、そのカットオフ周波数がエンベロープ信号Ｓeの周波数よりも高くなる値であることが好ましい。
【００４４】
電源回路１は上述の如き構成を有するもので、次にその動作について説明する。
【００４５】
電源回路１が駆動すると、電源電圧回路５は、電源電圧Ｖをエンベロープトラッカ６に向けて供給する。エンベロープトラッカ６は、ベースバンド部７から出力されるエンベロープ信号Ｓeに基づいて可変電圧Ｖvarに制御して、可変電圧Ｖvarを各電力増幅器２，３，４に供給する。この場合、エンベロープ信号Ｓeは無線周波数信号ＲＦ1，ＲＦ2，ＲＦ3の振幅レベルに対応するから、エンベロープトラッカ６は、無線周波数信号ＲＦ1，ＲＦ2，ＲＦ3の振幅レベルに応じて、可変電圧Ｖvarを制御することができる。
【００４６】
一方、ベースバンド部７は、音声、データ等の入力信号をベースバンド信号に変調し、該ベースバンド信号をＲＦ部８に出力する。また、ベースバンド部７は、エンベロープトラッカ６に向けてエンベロープ信号Ｓeを出力する。ＲＦ部８は、ベースバンド信号をアップコンバートして無線送信を行うための無線周波数信号ＲＦ1，ＲＦ2，ＲＦ3を生成し、ＳＡＷフィルタ９，１０，１１を介して電力増幅器２，３，４に向けて出力する。そして、電力増幅器２，３，４は、エンベロープトラッカ６から供給される可変電圧Ｖvarに基づいて、ＲＦ部８から出力される無線周波数信号ＲＦ1，ＲＦ2，ＲＦ3の電力を基地局に送信するために必要なレベルまで増幅し、出力端子から送信信号Ｔx1，Ｔx2，Ｔx3をそれぞれ出力する。
【００４７】
このとき、エンベロープトラッカ６と電力増幅器２，３，４との間を共通線１２および分岐線１３，１６，１９によって接続すると共に、共通線１２にメインインダクタ２２を設け、分岐線１３，１６，１９にサブインダクタ１４，１７，２０を設けた。このため、共通線１２および分岐線１３，１６，１９に伝導するノイズ信号を、メインインダクタ２２およびサブインダクタ１４，１７，２０によって減衰させることができる。一方、メインインダクタ２２のカットオフ周波数をエンベロープ信号Ｓeの周波数よりも高くすると共に、メインインダクタ２２およびサブインダクタ１４，１７，２０の自己共振周波数をエンベロープ信号Ｓeの周波数よりも高くした。このため、電源回路１は、エンベロープトラッカ６から供給される可変電圧Ｖvarの電圧波形を維持しつつ、共通線１２および分岐線１３，１６，１９に伝導するノイズ信号を減衰させることができる。
【００４８】
上述のような、本実施の形態による電源回路１の効果を確認するために、電源回路１について可変電圧Ｖvarの時間変化を求めた。その結果を図３中に実線で示す。また、本実施の形態による電源回路１の結果と対比するために、比較例としてサブインダクタ１４，１７，２０およびメインインダクタ２２を省いた場合の電源回路について、エンベロープトラッカと電力増幅器との間を伝導する可変電圧Ｖvar0の時間変化を、図３中に破線で示した。
【００４９】
図３に示すように、比較例の電源回路では、高周波のノイズ信号が可変電圧Ｖvar0に含まれている。これは、電源回路に流れるノイズ信号を、インダクタを用いて減衰していないためであると考えられる。
【００５０】
これに対し、本実施の形態による電源回路１では、比較例に比べて、可変電圧Ｖvarに含まれるノイズ信号が低減され、ノイズ信号が減衰していることが分かる。さらにこの場合、電源回路１では、メインインダクタ２２のカットオフ周波数はエンベロープ信号Ｓeの周波数よりも高い周波数としたので、可変電圧Ｖvarの電圧波形を維持しつつ、可変電圧Ｖvarが伝送していることが分かる。
【００５１】
また、本実施の形態による電源回路１の効果を確認するために、電源回路１についてノイズレベルの周波数特性を求めた。その結果を図４、図５中に実線に示す。ここで、本実施の形態による電源回路１の結果と対比するために、比較例としてサブインダクタ１４，１７，２０およびメインインダクタ２２を省いた場合の電源回路によるノイズレベルの周波数特性を、図４、図５中に破線で示した。なお、電源回路１のノイズレベルの周波数特性を求めるに際し、コンデンサ２３の容量は２７０ｐＦとした。
【００５２】
図４に示すように、比較例の電源回路では、本実施の形態による電源回路１と比べてノイズレベルが減衰していない。これは、電源回路に流れるノイズ信号を、インダクタを用いて減衰していないためであると考えられる。
【００５３】
これに対し、本実施の形態による電源回路１では、比較例に比べて、ノイズ信号が減衰していることが分かる。特に、５００ＭＨｚ以下および７００ＭＨｚ以上の帯域においてノイズレベルの減衰効果が大きい。また、図５に示すように、２０ＭＨｚ以下の帯域では、本実施の形態による電源回路１によるノイズレベルの減衰効果と比較例によるノイズレベルの減衰効果とでは、差が生じていない。これは、メインインダクタ２２のカットオフ周波数を、エンベロープ信号Ｓeの周波数である２０ＭＨｚよりも高い周波数としたことにあると考えられる。この結果、エンベロープ信号Ｓeに応じて可変電圧Ｖvarが２０ＭＨｚ付近で振幅変調されても、電圧波形が維持された可変電圧Ｖvarを、電力増幅器２，３，４に供給することができる。
【００５４】
なお、エンベロープトラッカ６から出力される可変電圧Ｖvarの電圧波形は、無線周波数信号ＲＦ1，ＲＦ2，ＲＦ3の変動に伴って変化しており、交流成分を含んでいる。通常のフェライトビーズを使用して可変電圧Ｖvarに対するノイズ対策を行うと、部品によって電圧波形の遅延が発生してしまい、無線周波数信号ＲＦ1，ＲＦ2，ＲＦ3の信号波形の変動に追従させることができないことがある。また、フェライトビーズは電流が流れると、フェライト材の磁気飽和により、特性が変動するため、遅延量にばらつきが生じてしまう。以上の点を考慮すると、メインインダクタ２２は、電力増幅器２，３，４に可変電圧Ｖvarを供給する電源ライン（共通線１２および分岐線１３，１６，１９）に適用しても、重畳特性のよく、特性変化が少ない電子部品であることが好ましい。併せて、メインインダクタ２２には、狭偏差に対応した電子部品を使用するのが好ましい。
【００５５】
かくして、本実施の形態によれば、電源回路１は、共通線１２に設けられたメインインダクタ２２と、各分岐線１３，１６，１９に設けられた各サブインダクタ１４，１７，２０とを備えている。この場合、共通線１２を伝導するノイズ信号をメインインダクタ２２により低減し、各分岐線１３，１６，１９を伝導するノイズ信号を各サブインダクタ１４，１７，２０により低減させることができる。これにより、エンベロープトラッカ６から各電力増幅器２，３，４に向けて伝導するノイズ信号を、各サブインダクタ１４，１７，２０とメインインダクタ２２とにより低減することができる。この結果、エンベロープトラッカと各電力増幅器との間でのノイズ信号の共振や放射を抑制することができるので、マルチバンドの無線周波数信号ＲＦ1，ＲＦ2，ＲＦ3のいずれの帯域でも、受信感度の劣化を抑えて通信特性を高めることができる。
【００５６】
また、メインインダクタ２２のカットオフ周波数をエンベロープ信号Ｓeの周波数よりも高くしている。この場合、電源回路１を伝導するエンベロープ信号Ｓeは、メインインダクタ２２が低減できるノイズ信号の周波数よりも低くなる。このため、電源回路１は、エンベロープ信号Ｓeについては減衰を抑制しつつ、ノイズ信号を減衰させることができる。
【００５７】
また、メインインダクタ２２の自己共振周波数は各サブインダクタ１４，１７，２０の自己共振周波数のうち最も低い自己共振周波数よりも高くしている。ここで、複数の電力増幅器２，３，４は、互いに異なる周波数の無線周波数信号ＲＦ1，ＲＦ2，ＲＦ3を増幅する。このとき、無線周波数信号ＲＦ1，ＲＦ2，ＲＦ3に対するノイズ信号を抑制するために、各サブインダクタ１４，１７，２０の自己共振周波数は、例えば無線周波数信号ＲＦ1，ＲＦ2，ＲＦ3の帯域内で設定するのが好ましい。これに対し、メインインダクタ２２の自己共振周波数を各サブインダクタ１４，１７，２０の自己共振周波数のうち最も低い自己共振周波数よりも高くしたから、複数の無線周波数信号ＲＦ1，ＲＦ2，ＲＦ3の帯域に亘ってメインインダクタ２２のインピーダンスを高くすることができる。このため、複数の無線周波数信号ＲＦ1，ＲＦ2，ＲＦ3の帯域で、ノイズ信号を低減することができる。
【００５８】
また、エンベロープトラッカ６とメインインダクタ２２との間の電気長は、各無線周波数信号ＲＦ1，ＲＦ2，ＲＦ3のうち最高周波数の信号（無線周波数信号ＲＦ3）の半波長よりも短くしている。これにより、エンベロープトラッカ６とメインインダクタ２２との間でノイズ信号の多重反射が生じ、ノイズ信号が放射されるときでも、放射されるノイズ信号の周波数を無線周波数信号ＲＦ1，ＲＦ2，ＲＦ3のいずれの周波数よりも高くすることができる。
【００５９】
これに加えて、エンベロープトラッカ６と電力増幅器２，３，４との間の電気長は、無線周波数信号ＲＦ1，ＲＦ2，ＲＦ3のうち最高周波数の信号（無線周波数信号ＲＦ3）の半波長よりもそれぞれ短い構成としている。これにより、エンベロープトラッカ６と電力増幅器２，３，４との間でノイズ信号の多重反射が生じ、ノイズ信号が放射されるときでも、放射されるノイズ信号の周波数を無線周波数信号ＲＦ1，ＲＦ2，ＲＦ3のいずれの周波数よりも高くすることができる。このため、ノイズ信号の周波数を複数の無線周波数信号ＲＦ1，ＲＦ2，ＲＦ3の帯域外にすることができ、無線周波数信号に対するノイズ信号の影響を低減することができる。
【００６０】
なお、前記実施の形態では、電源回路１は、３個の電力増幅器２，３，４を備える構成とした。しかし、本発明はこれに限らず、電源回路は、２個の電力増幅器を備える構成としてもよいし、４個以上の電力増幅器を備える構成としてもよい。
【００６１】
また、前記実施の形態では、電力増幅器２，３，４は、７００ＭＨｚ、１．５ＧＨｚ、２ＧＨｚの無線周波数信号ＲＦ1，ＲＦ2，ＲＦ3を増幅するものした。これら複数の無線周波数信号の周波数帯域は、上述したものに限らず、通信方式等に応じて適宜設定される。同様に、エンベロープ信号Ｓeの周波数は、２０ＭＨｚである場合を例示したが、これに限らず、ベースバンド部７の仕様等に応じて、適宜設定される。
【００６２】
また、前記実施の形態では、周波数帯域が互いに異なる複数の無線周波数信号ＲＦ1，ＲＦ2，ＲＦ3を送信するマルチバンドの携帯端末に適用した場合を例に挙げて説明した。本発明はこれに限らず、例えばＷ−ＣＤＭＡ、ＬＴＥ等のように、変調方式が互いに異なる複数の無線周波数信号を送信するマルチモードの携帯端末に適用してもよい。この場合、複数の無線周波数信号は、必ずしも周波数帯域が異なる必要はなく、互いに重複してもよい。
【００６３】
また、前記実施の形態では、各サブコンデンサ１５，１８，２１は、共通線１２の分岐箇所１２Ａと各サブインダクタ１４，１７，２０との間にそれぞれ設ける構成とした。しかし、本発明はこれに限らず、各サブコンデンサを、各サブインダクタと各電力増幅器との間にそれぞれ設ける構成としてもよい。また、サブインダクタおよびサブコンデンサは、電力増幅器とは別個に設けた場合を例示したが、電力増幅器に内蔵される構成としてもよい。
【００６４】
また、前記実施の形態では、メインインダクタ２２のカットオフ周波数をエンベロープ信号Ｓeの周波数よりも高くする構成とした。しかし、本発明はこれに限らず、メインインダクタのカットオフ周波数をエンベロープ信号Ｓeの周波数と同程度の値としてもよいし、エンベロープ信号Ｓeの周波数よりも低い値としてもよい。
【００６５】
また、前記実施の形態では、メインインダクタ２２の自己共振周波数は各サブインダクタ１４，１７，２０の自己共振周波数のうち最も低い自己共振周波数よりも高くする構成とした。しかし、本発明はこれに限らず、メインインダクタの自己共振周波数を各サブインダクタの自己共振周波数よりも低くしてもよい。
【００６６】
また、前記実施の形態では、エンベロープトラッカ６とメインインダクタ２２との間の電気長は、無線周波数信号ＲＦ1，ＲＦ2，ＲＦ3のうち最高周波数の半波長よりも短い構成とした。しかし、本発明はこれに限らず、エンベロープトラッカとメインインダクタとの間の電気長は、無線周波数信号ＲＦ1，ＲＦ2，ＲＦ3のうち最高周波数の信号の半波長よりも長くてもよい。
【００６７】
また、前記実施の形態では、電力増幅器２，３，４とエンベロープトラッカ６との間の電気長は、３種類の無線周波数信号ＲＦ1，ＲＦ2，ＲＦ3のうち最高周波数の信号の半波長よりも短い構成とした。本発明はこれに限らず、各電力増幅器とエンベロープトラッカとの間の電気長は、無線周波数信号ＲＦ1，ＲＦ2，ＲＦ3のうち最高周波数の信号の半波長よりも長くてもよい。
【符号の説明】
【００６８】
１  電源回路
２，３，４  電力増幅器
６  エンベロープトラッカ
１２  共通線
１３，１６，１９  分岐線
１４，１７，２０  サブインダクタ
２２  メインインダクタ
２３  コンデンサ
【図１】
0006525055.tif 000002
【図２】
0006525055.tif 000003
【図３】
0006525055.tif 000004
【図４】
0006525055.tif 000005
【図５】
0006525055.tif 000006